(57)【特許請求の範囲】
【請求項１】
収納部を有するハウジングと、このハウジングの収納部内底面に配設された中央固定接点と、この中央固定接点の外側に配設された第１周辺固定接点と、この第１周辺固定接点の更に外側に配設された第２周辺固定接点と、膨出部中央が前記中央固定接点に対向して配設され、周縁部が前記第１周辺固定接点に常時接触するドーム状の下部可動接点と、この下部可動接点の外形よりも大径で膨出部中央が前記下部可動接点を覆うように対向して配設され、周縁部が前記第２周辺固定接点に常時接触するドーム状の上部可動接点とを備え、前記ハウジングの収納部には段差部が設けられ、該段差部は、前記第１周辺固定接点と前記第２周辺固定接点の内底面における径方向中間に位置しており、前記ハウジングの収納部には中央に貫通孔を有する環状の粘着シートが前記下部可動接点の上面側を覆うように設けられ、前記粘着シートの貫通孔から前記下部可動接点の膨出部頂部を露出させて前記上部可動接点と接触可能に配置すると共に、前記粘着シートの環状部で前記段差部及び前記第１周辺固定接点の全域を覆うように、前記下部可動接点の周縁部を全周にわたって前記ハウジングの収納部に接着保持したことを特徴とする押釦スイッチ。
【請求項２】
前記ハウジングの収納部には、前記下部可動接点の外周部を収容して位置規制する凹溝部を形成し、前記下部可動接点の周縁部と前記凹溝部の縁部との全周にわたって前記粘着シートの環状部を接着したことを特徴とする請求項１記載の押釦スイッチ。
【請求項３】
前記粘着シートは、片面に粘着層が形成された可撓性を有する樹脂製シートで形成され、前記下部可動接点の反転動作に追従可能となるように、前記環状部を前記下部可動接点と前記ハウジングに接着したことを特徴とする請求項１、又は２記載の押釦スイッチ。
【発明の詳細な説明】
【０００１】
【発明の属する技術分野】
本発明は、押圧されることによりドーム状の可動接点が反転して接点の接離を行う押釦スイッチに係り、特に押圧に際して２段階に接点が切り換わる所謂ダブルアクションタイプの押釦スイッチの構造に関する。
【０００２】
【従来の技術】
従来の押釦スイッチの構造を図１２及び図１３に示す。図１２は押釦スイッチの平面図、図１３は押釦スイッチの縦断面図である。
【０００３】
従来の押釦スイッチは、収納部１１ａを有する方形状のハウジング１１と、このハウジング１１の収納部１１ａに配設された中央固定接点１２ａ、第１周辺固定接点１２ｂ及び第２周辺固定接点１２ｃと、この中央固定接点１２ａ及び第１周辺固定接点１２ｂ上に配設された下部可動接点１４と、この下部可動接点１４及び第２周辺固定接点１２ｃ上に配設された上部可動接点１５と、前記収納部１１ａを覆うと共に、前記ハウジング１１の上面に取り付けられたカバーシート１７、及びフレーム１８とから構成されている。
【０００４】
前記ハウジング１１は、合成樹脂などの絶縁材で方形状の箱形に形成されており、内部に円形状の収納部１１ａを有している。この収納部１１ａの中央には、導電性の金属材からなる中央固定接点１２ａが、内底面に表出して配設されており、この中央固定接点１２ａの外側には、この中央固定接点１２ａより一段突出した状態で、同じく導電性の金属材からなる第１周辺固定接点１２ｂが配設されている。また、この第１周辺固定接点１２ｂの外側には、更に一段突出した状態で、同じく導電性の金属材からなる第２周辺固定接点１２ｃが配設されている。
【０００５】
前記下部可動接点１４は、導電性の金属板で小径の円形状に形成されており、中央に反転可能な膨出部１４ａを有するドーム状に形成されている。また、前記上部可動接点１５は、同じく導電性の金属板で中央に反転可能な膨出部１５ａを有する円形のドーム状に形成されており、この外径が前記下部可動接点１４の外径よりも大径となるように形成されている。
【０００６】
前記下部可動接点１４を前記収納部１１ａに収納する場合、膨出部１４ａ中央を収納部１１ａに配設された前記中央固定接点１２ａに対向させて配置し、前記第１周辺固定接点１２ｂに下部可動接点１４の周縁部を当接して載置する。この時、収納部１１ａには下部可動接点１４の外周部に沿って突出する環状の内壁１１ｂが形成されている。そして、下部可動接点１４の外周部を、ハウジング１１の収納部１１ａの内壁１１ｂを内側に変形させることにより直接かしめて固定するものとなっている。
【０００７】
前記下部可動接点１４の外周部をハウジング１１にかしめて固定することにより、下部可動接点１４の周縁部が、常時、第１周辺固定接点１２ｂと接触することとなり、下部可動接点１４を上部可動接点１５とのスイッチングの導通経路として使用することが可能となっている。そして、前記上部可動接点１５の膨出部１５ａ中央を前記下部可動接点１４を覆うように対向させて配置し、前記第２周辺固定接点１２ｃに上部可動接点１５の周縁部を当接して載置することで収納部１１ａへの各接点部の収納が終了する。
【０００８】
前記カバーシート１７は、略方形状の樹脂シートで形成されており、前記上部可動接点１５が操作される場合、キートップなどの操作部の当接部として用いられると共に、、前記ハウジング１１の収納部１１ａを覆い、上面に取り付けられることで、前記上部可動接点１５の飛び出しや、接点部内への塵埃など異物の侵入を防止している。
【０００９】
前記フレーム１８は、板状の金属板で略方形状に形成され、その中央には大きめの窓孔部１８ａが設けられている。また、側方には垂直に折り曲げられた一対の図示しない側板が設けられ、この側板を前記ハウジング１１の側面に係止することにより、フレーム１８がハウジング１１上面に取り付けられている。この時、前記窓孔部１８ａから前記カバーシート１７が露出された状態となり、上方から前記上部可動接点１５を押圧して反転操作させることが可能となっている。
【００１０】
前記窓孔部１８ａから図示しないキートップなどの操作部で前記カバーシート１７を押圧すると、上部可動接点１５が反転して下部可動接点１４と接触することで一段目のスイッチのクリック感と接点の切り換えを行い、更に押し込むことにより下部可動接点１４が反転して中央固定接点１２ａと接触することで二段目のクリック感と接点の切り換えを行うものとなり、ダブルアクションの押釦スイッチが得られるものとなる。
【００１１】
【発明が解決しようとする課題】
しかしながら、上述した従来の押釦スイッチの構造においては、下部可動接点１４の外周部を、ハウジング１１の内壁を内側に変形させることによりかしめて固定していることから、下部可動接点１４が第１周辺固定接点１２ｂに対して斜めに浮き上がって固定されたり、かしめ条件のばらつきにより下部可動接点１４の動作特性が変動してしまう虞があるため、厳格なかしめ管理が要求され、組み立て作業が煩雑になるという問題があった。
【００１２】
また、下部可動接点１４の反転時に、下部可動接点１４の外周部とハウジング１１のかしめ部との隙間から接点内部に塵埃が侵入してしまい接触が不安定になるという問題があった。
【００１３】
したがって、本発明では上述した問題点を解決し、下部可動接点をハウジングに取り付ける際に簡単に取り付けられると共に、接点部への塵埃の侵入を防止し接触信頼性の高い押釦スイッチを提供することを目的とする。
【００１４】
【課題を解決するための手段】
上記課題を解決するために本発明では第１の手段として、収納部を有するハウジングと、このハウジングの収納部内底面に配設された中央固定接点と、この中央固定接点の外側に配設された第１周辺固定接点と、この第１周辺固定接点の更に外側に配設された第２周辺固定接点と、膨出部中央が前記中央固定接点に対向して配設され、周縁部が前記第１周辺固定接点に常時接触するドーム状の下部可動接点と、この下部可動接点の外形よりも大径で膨出部中央が前記下部可動接点を覆うように対向して配設され、周縁部が前記第２周辺固定接点に常時接触するドーム状の上部可動接点とを備え、前記ハウジングの収納部には段差部が設けられ、該段差部は、前記第１周辺固定接点と前記第２周辺固定接点の内底面における径方向中間に位置しており、前記ハウジングの収納部には中央に貫通孔を有する環状の粘着シートが前記下部可動接点の上面側を覆うように設けられ、前記粘着シートの貫通孔から前記下部可動接点の膨出部頂部を露出させて前記上部可動接点と接触可能に配置すると共に、前記粘着シートの環状部で前記段差部及び前記第１周辺固定接点の全域を覆うように、前記下部可動接点の周縁部を全周にわたって前記ハウジングの収納部に接着保持したことを特徴とする。
【００１５】
また、第２の手段として、前記ハウジングの収納部には、前記下部可動接点の外周部を収容して位置規制する凹溝部を形成し、前記下部可動接点の周縁部と前記凹溝部の縁部との全周にわたって前記粘着シートの環状部を接着したことを特徴とする。
【００１６】
また、第３の手段として、前記粘着シートは、片面に粘着層が形成された可撓性を有する樹脂製シートで形成され、前記下部可動接点の反転動作に追従可能となるように、前記環状部を前記下部可動接点と前記ハウジングに接着したことを特徴とする。
【００１７】
【発明の実施の形態】
以下本発明の押釦スイッチの実施の形態を図１乃至図１１に示す。図１は押釦スイッチの平面図、図２は同じく縦断面図、図３はハウジングと上部可動接点の係合状態を示す平面図、図４はハウジングと下部可動接点の固着状態を示す平面図、図５はハウジングの平面図、図６は上部可動接点の平面図、図７は下部可動接点の平面図、図８は粘着シートの平面図、図９は無操作時の動作説明図、図１０は一段目オン時の動作説明図、図１１は二段目オン時の動作説明図である。
【００１８】
図において、ハウジング１は、合成樹脂などの絶縁材で内部に収納部１ａを有する外形が方形状で上面が開口された箱形に形成されている。この収納部１ａは、前記ハウジング１中央に凹状に形成された略円形状の基部１ｂと、この基部１ｂに連設され前記ハウジング１の対角線上の四角部に延びる、略方形状の収容凹部１ｃとから形成されている。また、この収容凹部１ｃの側壁部は、前記基部１ｂとの連設部に前壁部に向かって細幅となる傾斜部１ｄと、この傾斜部１ｄから平行に広がる平行部１ｅとで形成されている。また、前記基部１ｂの中央には、一段下がった位置に略円形状の凹溝部１ｆが形成されている。この凹溝部１ｆに後述する下部可動接点４が収容され、この上面を覆うように前記基部１ｂ及び収容凹部１ｃに後述する上部可動接点５が収容されるものとなっている。
【００１９】
前記ハウジング１の収納部１ａの内底面中央には、導電性の金属材からなる中央固定接点２ａが、上面側が表出された状態で配設されており、この中央固定接点２ａを挟んで対向する位置には、この中央固定接点２ａより一段突出した状態で、同じく導電性の金属材からなる第１周辺固定接点２ｂが配設されている。また、この第１周辺固定接点２ｂの外側の位置で、前記ハウジング１の対角線上の一方の一対の前記収容凹部１ｃには、更に一段突出した状態で、同じく導電性の金属材からなる第２周辺固定接点２ｃが配設されている。そして、これと交差する他の一対の前記収容凹部１ｃの底面が、前記第２周辺固定接点２ｃの接触面よりも低く形成されたものとなっている。
【００２０】
また、前記ハウジング１の対向する外側面には、前記中央固定接点２ａ、及び第１、第２周辺固定接点２ｂ、２ｃから導出され外方に突出された、機器などの回路基板への接続用の接続端子３ａ、３ｂ、３ｃが形成されている。
【００２１】
下部可動接点４は、導電性の金属板で小径の円形状に形成されており、中央に反転可能な膨出部４ａを有するドーム状に形成されている。そして、この膨出部４ａの頂部下面が前記中央固定接点２ａと接触する中央接点部となっている。
【００２２】
上部可動接点５は、同じく導電性の金属板で中央に反転可能な膨出部５ａを有するドーム状に形成され、この膨出部５ａに連続して十字方向に延びる複数の腕部５ｂが形成されて全体として十字形状をしている。また、この腕部５ｂ同士を結ぶ外径が、前記下部可動接点４の外径よりも大径となるように形成されている。また、前記腕部５ｂの側部は、基端部から先端部に向けて細幅となる傾斜面５ｃで形成されており、この傾斜面５ｃと前記収容凹部１ｃの傾斜部１ｄとが互いにならうように形成されたものとなっている。
【００２３】
前記下部可動接点４を前記収納部１ａに収納する場合には、ドーム状の膨出部４ａ中央を収納部１ａ中央に配設された前記中央固定接点２ａに対向させて配置すると共に、一対の前記第１周辺固定接点２ｂに下部可動接点４の周縁部を当接させて載置する。この時、収納部１ａには一段下がった位置に、下部可動接点４の外周部に沿って略円形状の凹溝部１ｆが形成されており、前記下部可動接点４はこの凹溝部１ｆに収容されて外周部が位置規制されるものとなる。
【００２４】
また、下部可動接点４の上面側には、中央に貫通孔６ａが形成された環状の粘着シート６が、前記下部可動接点４の上面側を覆うように取り付けられており、前記粘着シート６の環状部６ｂを前記下部可動接点４の周縁部と前記凹溝部１ｆの縁部との全周にわたって接着することにより前記下部可動接点４を前記凹溝部１ｆに保持するようになっている。
【００２５】
このように、前記凹溝部１ｆによって下部可動接点４の粘着シート６による貼り付け固定の位置決めを容易に行え、かつ、凹溝部１ｆと下部可動接点４の外周縁との隙間を粘着シート６によって覆うので、塵埃の侵入を低減することがことができる。また、前記粘着シート６は、片面に粘着層が形成された可撓性を有する樹脂製シートで形成されており、前記下部可動接点４のドーム状の膨出部４ａが押圧操作によって反転する場合においても、反転動作に追従可能となるように、前記環状部６ｂが前記下部可動接点４と前記収納部１ａに接着されるものとなっている。
【００２６】
また、前記粘着シート６の貫通孔６ａからは、前記下部可動接点４の膨出部４ａ頂部が露出することから、前記上部可動接点５との接触が可能となっており、前記下部可動接点４の周縁部を、前記粘着シート６の環状部６ｂにより前記収納部１ａに接着保持することにより、下部可動接点４の周縁部が、常時、前記第１周辺固定接点２ｂと接触することとなり、下部可動接点４を前記上部可動接点５とのスイッチングの導通経路として使用することが可能となっている。
【００２７】
前記上部可動接点５を前記収納部１ａに収納する場合には、前記上部可動接点５の膨出部５ａ中央を、前記下部可動接点４の上面を覆うように対向させて配置させると共に、前記上記可動接点５の腕部５ｂを前記収納部１ａの収容凹部１ｃに位置させ、前記腕部５ｂの周縁部を前記第２周辺固定接点２ｃに当接させて載置する。この時、前記腕部５ｂの側部は、基端部から先端部に向けて細幅となる傾斜面５ｃで形成されており、この腕部５ｂの傾斜面５ｃと前記収容凹部１ｃの側壁部の傾斜部１ｄとが互いにならうように形成されていることから、この傾斜面５ｃと傾斜部１ｄとで上部可動接点５の位置規制がなされるものとなっている。
【００２８】
このように上部可動接点５の位置規制を、前記腕部５ｂの側部の傾斜面５ｃと、この腕部５ｂを収容する前記収容凹部１ｃの側壁部の傾斜部１ｄとで行うようにしたことから、前記側壁部と前記腕部５ｂの側部とにより形成される空隙Ｇ１が、前記収容凹部１ｃの前壁部と前記腕部５ｂの先端部とにより形成される空隙Ｇ２よりも狭くなるように前記前壁部、及び側壁部を形成することにより、前記収容凹部１ｃの前壁部と前記腕部５ｂの先端部との空隙Ｇ２を広く設定することができるため、前記上部可動接点５の押圧操作時に腕部５ｂの先端部が前壁部にぶつかって拘束されることがなくなるので、反転時の動作フィーリングに影響を与えることがなく、精度良く位置決めを行うことができるものとなる。
【００２９】
また、前記腕部５ｂの側部は、基端部から先端部に向けて細幅となる傾斜面５ｃで形成されており、この傾斜面５ｃと前記収容凹部１ｃの側壁部の傾斜部１ｄとが互いにならうように形成されていることから、上部可動接点５の動作による腕部５ｂと収容凹部１ｃとの削れが低減できるため、削れ粉などの影響による接触不良を防止して、接触信頼性の向上が図れるものとなっている。
【００３０】
また、前記第２周辺固定接点２ｃが配設された、前記ハウジング１の対角線上の一方の一対の前記収容凹部１ｃと交差する、他の一対の前記収容凹部１ｃの底面が、前記第２周辺固定接点２ｃの前記腕部５ｂとの接触面よりも低く形成されていることから、第２周辺固定接点２ｃと腕部５ｂとが確実に接触し、他の腕部５ｂが収容凹部１ｃ底面に当接して接触が不安定になることを回避することができるものとなっている。
【００３１】
また、前記上部可動接点５の下側に載置される前記下部可動接点４は、外径が略円形ドーム状に形成されており、前記上部可動接点５の十字方向に延びる複数の腕部５ｂ同士を結ぶ外径に対して、小径に形成されていることから、前記上部可動接点５の腕部５ｂと干渉することなしにレイアウトすることができ、回転方向の位置決めが不要となるため、容易に組み込むことができるものとなっている。
【００３２】
この場合、前記下部可動接点４が前記収納部１ａに収納される際、前記収納部１ａに配設された前記第１周辺固定接点２ｂの上面に前記下部可動接点４の周縁部が当接された状態で載置されるが、前記第１周辺固定接点２ｂを前記中央固定接点２ａよりも一段高く形成してあるので、前記第１周辺固定接点２ｂ上への下部可動接点４の座りがよく、また、ドーム状の膨出部４ａの反転時の操作ストロークが確保されるため、操作フィーリングが良好となる。
【００３３】
また、前記第２周辺固定接点２ｃと前記上部可動接点５も同様に、前記第２周辺固定接点２ｃを前記第１周辺固定接点２ｂよりも一段高く形成してあるので、前記第２周辺固定接点２ｃ上への上部可動接点５の座りがよく、また、ドーム状の膨出部５ａの反転時の操作ストロークが確保されるため、同じく操作フィーリングが良好となる。
【００３４】
前記収納部１ａの開口部には、上部可動接点５の上面を覆うように略方形状の樹脂シートからなるカバーシート７が取り付けられている。このカバーシート７は、前記上部可動接点５のドーム状の膨出部５ａ上面に固着されて、上部可動接点５の周縁部を前記第２周辺固定接点２ｃに当接させており、また、押圧される場合には操作用のシートとして作用すると共に、前記収納部１ａを覆い、上面に取り付けられることにより前記上部可動接点５の飛び出しや、接点部内への塵埃などの侵入を防止するものとなっている。
【００３５】
フレーム８は、板状の金属板で略方形状に形成され、その中央には大きめの窓孔部８ａが設けられている。また、側方には垂直に折り曲げられた一対の側板（図示せず）が設けられ、この側板を前記ハウジング１の側面に設けられた係止部（図示せず）に係止することにより、フレーム８がハウジング１上面に取り付けられている。この時、前記フレーム８とハウジング１の間には前記カバーシート７が介在されており、前記窓孔部８ａから前記カバーシート７の一部が露出された状態となっている。
【００３６】
次に、上記構成の押釦スイッチの動作を図９乃至図１１で説明する。
図９に示すように、スイッチが非押圧操作状態では、前記上部可動接点５の周縁部は前記第２周辺固定接点２ｃと接触しているが、ドーム状の膨出部５ａが前記下部可動接点４とは離間した状態となっており、また、下部可動接点４の周縁部は前記第１周辺固定接点２ｂと接触しているが、ドーム状の膨出部４ａが前記中央固定接点２ａとは離間した状態となっており、スイッチは上下の二段ともオフ状態となっている。
【００３７】
この状態から、図１０に示すように、前記フレーム８の窓孔部８ａからキートップ９などの操作部で前記カバーシート７が押圧操作されると、カバーシート７の下面側に固着された前記上部可動接点５の膨出部５ａ上面が押圧されてこの膨出部５ａを下方へ押し下げるものとなる。
【００３８】
この時、前記上部可動接点５の膨出部５ａが下方へ押圧されることで、前記上部可動接点５は、前記膨出部５ａが下方へ反転することとなる。このため、前記膨出部５ａの下面が前記下部可動接点４の膨出部４ａ上面と接触し、上部と下部可動接点４、５を導通経路として前記第２周辺固定接点２ｃと前記第１固定接点２ｂとが導通されて一段目（上部）のスイッチがオン状態となる。
【００３９】
この状態から、図１１に示すように、更に、キートップ９が押圧操作されると、前記上部可動接点５の膨出部５ａ下面により前記下部可動接点４の膨出部４ａ上面が押され、この膨出部４ａを下方へ押し下げるものとなる。
【００４０】
この時、前記下部可動接点４の膨出部４ａが下方へ押圧されることで、前記下部可動接点４は、前記膨出部４ａが下方へ反転することとなる。このため、前記膨出部４ａの下面が前記中央固定接点２ａと接触し、下部可動接点４を介して前記第１周辺固定接点２ｂと前記中央固定接点２ａとが導通されて二段目（下部）のスイッチがオン状態となる。
【００４１】
このように、キートップ９で前記カバーシート７を押圧すると、上部可動接点５が反転して下部可動接点４と接触することで一段目のスイッチのクリック感と接点の切り換えを行い、更に押し込むことにより下部可動接点４が反転して中央固定接点２ａと接触することで二段目のクリック感と接点の切り換えを行うものとなり、ダブルアクションの押釦スイッチが得られるものとなる。
【００４２】
この状態から、前記キートップ９への押圧力を解除すると、前記上部及び下部可動接点４、５の膨出部４ａ、５ａが自身の弾性で反転して初期の状態に復帰すると共に、この際の付勢力によって前記キートップ９が上方へ押圧されて初期位置へと復帰するものとなる。この時、前記上部及び下部可動接点４、５の膨出部４ａ、５ａが反転するのに伴って、前記膨出部４ａ、５ａの下面が、前記下部可動接点４の上面及び中央固定接点２ａから離間するものとなり、一段目と二段目のスイッチはそれぞれオフ状態となる。
【００４３】
上記構成によれば、前記ハウジング１の収納部１ａに、中央に貫通孔６ａを有する環状の前記粘着シート６を、前記下部可動接点４の上面側を覆うように設け、前記粘着シート６の貫通孔６ａから前記下部可動接点５の膨出部５ａ頂部を露出させて前記上部可動接点５と接触可能に配置すると共に、前記粘着シート６の環状部６ｂで前記下部可動接点４の周縁部を全周にわたって前記ハウジング１の収納部１ａに接着保持したことから、前記粘着シート６の貫通孔６ａを介して前記上部可動接点５と下部可動接点４とを接触可能に配置することができると共に、前記下部可動接点４を前記ハウジング１の収納部１ａに簡単に取り付けることができるものとなる。
【００４４】
また、前記下部可動接点４の反転動作に追従可能なように、前記粘着シート６で、前記下部可動接点４の外周部と前記ハウジング１との間を全周にわたって覆うことができるので、塵埃の侵入を低減し接触信頼性の向上が図れるものとなっている。
【００４５】
また、上記構成によれば、前記上部可動接点５に、反転可能な膨出部５ａに連続して十字方向に複数の前記腕部５ｂを延設し、前記ハウジング１の対角線上の四角部には、前記収納部１ａに連設して前記上部可動接点５のそれぞれの腕部５ｂを屈伸可能に収容する収容凹部１ｃを形成し、この収容凹部１ｃに少なくとも一つの前記腕部５ｂと常時接触する前記第２周辺固定接点２ｃを配設したことから、前記腕部５ｂによって前記上部可動接点５の動作ストロークを確保することができると共に、前記腕部５ｂを前記ハウジング１の四角部に配置したことにより、円形ドーム状の可動接点を使用する場合に比べ、方形状のハウジングの外形の幅を小さくすることができるものとなっている。
【００４６】
【発明の効果】
以上説明したように、本発明の押釦スイッチは、収納部を有するハウジングと、このハウジングの収納部内底面に配設された中央固定接点と、この中央固定接点の外側に配設された第１周辺固定接点と、この第１周辺固定接点の更に外側に配設された第２周辺固定接点と、膨出部中央が前記中央固定接点に対向して配設され、周縁部が前記第１周辺固定接点に常時接触するドーム状の下部可動接点と、この下部可動接点の外形よりも大径で膨出部中央が前記下部可動接点を覆うように対向して配設され、周縁部が前記第２周辺固定接点に常時接触するドーム状の上部可動接点とを備え、前記ハウジングの収納部には段差部が設けられ、該段差部は、前記第１周辺固定接点と前記第２周辺固定接点の内底面における径方向中間に位置しており、前記ハウジングの収納部には中央に貫通孔を有する環状の粘着シートが前記下部可動接点の上面側を覆うように設けられ、前記粘着シートの貫通孔から前記下部可動接点の膨出部頂部を露出させて前記上部可動接点と接触可能に配置すると共に、前記粘着シートの環状部で前記段差部及び前記第１周辺固定接点の全域を覆うように、前記下部可動接点の周縁部を全周にわたって前記ハウジングの収納部に接着保持したことから、粘着シートの貫通孔を介して上部可動接点と下部可動接点とを接触可能に配置することができると共に、下部可動接点をハウジングの収納部に簡単に取り付けることができる。また、下部可動接点の周縁部が、常時、第１周辺固定接点と接触することとなり、下部可動接点を上部可動接点とのスイッチングの導通経路として使用することが可能となる。
【００４７】
また、ハウジングの収納部には、下部可動接点の外周部を収容して位置規制する凹溝部を形成し、下部可動接点の周縁部と凹溝部の縁部との全周にわたって粘着シートの環状部を接着したことから、凹溝部によって下部可動接点の粘着シートによる貼り付け固定の位置決めを容易に行え、かつ、凹溝部と下部可動接点の外周縁との隙間を粘着シートによって覆うので、塵埃の侵入を低減することができる。
【００４８】
また、粘着シートは、片面に粘着層が形成された可撓性を有する樹脂製シートで形成され、下部可動接点の反転動作に追従可能となるように、環状部を下部可動接点とハウジングに接着したことから、下部可動接点の反転動作に追従可能な粘着シートによって下部可動接点の外周部とハウジングとの間を全周にわたって覆うことができるので、塵埃の侵入を低減することができ、接触信頼性の向上が図れる。
【図面の簡単な説明】
【図１】本発明の一実施例である押釦スイッチを示す平面図である。
【図２】本発明の同じく押釦スイッチを示す縦断面図である。
【図３】本発明のハウジングと上部可動接点の係合状態を示す平面図である。
【図４】本発明のハウジングと下部可動接点の固着状態を示す平面図である。
【図５】本発明のハウジングを示す平面図である。
【図６】本発明の上部可動接点を示す平面図である。
【図７】本発明の下部可動接点を示す平面図である。
【図８】本発明の粘着シートを示す平面図である。
【図９】本発明の押釦スイッチの無操作時の状態を示す動作説明図である。
【図１０】本発明の押釦スイッチの一段目オン時の状態を示す動作説明図である。
【図１１】本発明の押釦スイッチの二段目オン時の状態を示す動作説明図である。
【図１２】従来の押釦スイッチを示す平面図である。
【図１３】従来の押釦スイッチを示す縦断面図である。
【符号の説明】
１  ハウジング
１ａ  収納部
１ｂ  基部
１ｃ  収納凹部
１ｄ  傾斜部
１ｅ  平行部
１ｆ  凹溝部
２ａ  中央固定接点
２ｂ  第１周辺固定接点
２ｃ  第２周辺固定接点
３ａ，３ｂ，３ｃ  接続端子
４  下部可動接点
４ａ  膨出部
５  上部可動接点
５ａ  膨出部
５ｂ  腕部
５ｃ  傾斜部
６  粘着シート
６ａ  貫通孔
６ｂ  環状部
７  カバーシート
８  フレーム
８ａ  窓孔部
９  キートップ
Ｇ１，Ｇ２  空隙
【図１】
0003916892.tif 000002
【図２】
0003916892.tif 000003
【図３】
0003916892.tif 000004
【図４】
0003916892.tif 000005
【図５】
0003916892.tif 000006
【図６】
0003916892.tif 000007
【図７】
0003916892.tif 000008
【図８】
0003916892.tif 000009
【図９】
0003916892.tif 000010
【図１０】
0003916892.tif 000011
【図１１】
0003916892.tif 000012
【図１２】
0003916892.tif 000013
【図１３】
0003916892.tif 000014